(57)【要約】      （修正有）【課題】文書類を整理し保管する機能を保持しつつ、これら文書類がクリアファイル体に収容された状態のままで書込を行うことができ、尚かつ、文書類を容易に収脱することができるクリアファイル体を綴ったクリアファイルブックを提供する。【解決手段】透明プラスチックシートからなる複数枚のファイル体３を綴じ込んだクリアファイルブック１において、綴じ込むファイル体を、ベースとなるファイル基体４及びその見開き左右両ページの表裏両面おける上下一方対角コーナー部に付着した帯状シート片５とによって形成し、当該ファイル体を複数枚重ね合わせ、その見開き中央部を表紙裏面中央に熱溶着した構成とする。そして、前記ファイル基体と帯状シート片との間隙に文書類を挿入してファイリングすることを特徴とする。【選択図】図１
0003184301.tif 000002
【実用新案登録請求の範囲】
【請求項１】
透明プラスチックシートからなる複数枚のファイル体を綴じ込んだファイルブックにおいて、綴じ込むファイル体を、ベースとなるファイル基体及びその見開き左右両ページの表裏両面おける上下一方対角コーナー部に付着した帯状シート片とによって形成し、当該ファイル体を複数枚重ね合わせ、その見開き中央部を表紙裏面中央に熱溶着した構成からなり、前記ファイル基体と帯状シート片の間隙に楽譜等の文書用紙を挿入挟持してファイリングすることを特徴とするクリアファイルブック。
【考案の詳細な説明】
【技術分野】
【０００１】
本考案は、透明のファイル体を複数枚綴じ込んだファイルブックにおいて、文書等の収容物をファイル体に収容したままの状態で、加筆等ができるようにしたクリアファイルブックに関する。
【背景技術】
【０００２】
従来より、プラスチック製の透明シートからなるクリアファイル体を複数枚綴じ込んだクリアファイルブックは、各種書類等を綴じ保管するものとして広く使用されていて、ここで用いられているクリアファイル体は、上方向に開口部があるもの、中央綴じ目方向に開口部があるもの、若しくは左右外側方向の何れかに開口部を設けたものなど、袋形状になっているのが一般的である。
【０００３】
上記従来の一般的なクリアファイル体にあっては、袋形状となっているので収容物が落下するおそれが少ない点で優れているが、文書等の収容物がクリアファイル体に収容されたままの状態では加筆や訂正などが行えず、このような場合、クリアファイル体にある収容物を一旦取り出して加筆訂正等を行った後、再び開口部より収容し直さなければならない煩わしさがある。特に、楽譜や講義資料等の文書類を綴るためファイルブックを使用する場合にあっては、これら文書類を整理し保管する機能とともに、これら文書類がクリアファイル体に収容された状態のままで加筆訂正が行えるメモ機能も要求される。
【０００４】
また、従来のクリアファイル体にあっては、クリアファイル体の素材が熱可塑性プラスチックフイルムシートであるため、フィルムシートが透明であっても、角度によっては表面が反射し収容された文書の内容が反射光のため見えづらくなってしまうという問題があった。
【先行技術文献】
【特許文献】
【０００５】
【特許文献１】実用新案登録第３１３９１１８号公報
【特許文献２】特開平７−３２９４７２号公報
【考案の概要】
【考案が解決しようとする課題】
【０００６】
本考案は、収容物である文書類を整理し保管する機能を保持しつつ、これら文書類がクリアファイル体に収容された状態のままで書込を行うことができ、尚かつ、文書類を容易に収脱することができるクリアファイル体を綴ったファイルブックを安価に提供することを目的とする。
【課題を解決するための手段】
【０００７】
上記の目的を達成するため、本考案に係るクリアファイルブックは、透明プラスチックシートからなる複数枚のファイル体を綴じ込んだファイルブックにおいて、綴じ込むファイル体を、ベースとなるファイル基体及びその見開き左右両ページの表裏両面おける上下一方対角コーナー部に付着した帯状シート片とによって形成し、当該ファイル体を複数枚重ね合わせ、その見開き中央部を表紙裏面中央（背表紙裏面中央）に熱溶着した構成とする。そして、前記ファイル基体と帯状シート片の間隙に楽譜等の文書用紙を挿入してファイリングするようにしたことを特徴とする。
【考案の効果】
【０００８】
本考案で用いるファイル体は、従来の袋状のものとは異なり、楽譜等の文書用紙をファイル基体とその上下一方対角コーナー部に付着した帯状シート片との間隙に介挿させることにより収容する構成となっているので、文書用紙の収脱が容易でファイリング作業の効率が良い。
【０００９】
また、収容された文書用紙は、ファイル基体と帯状シート片が重なるクリアファイル体の上下一方の対角コーナー部を除き外部に露出しているので、収容した文書用紙をファイル体から取り出さずに加筆や訂正が可能であり、加えて、文書の内容が反射光によって見えづらくなるという不都合も起こらない。
【００１０】
さらに、本考案で用いるクリアファイル体は、ファイル基体と帯状シート片のみからなり、従来の袋状のものと比べ、プラスチックシート材の使用量を大幅に減らせて安価に提供することができる。
【図面の簡単な説明】
【００１１】
【図１】本考案の一実施形態に係るクリアファイルブックの斜視図。
【図２】同クリアファイルブックにＡ４サイズの文書用紙を収容した状態を示す平面図。
【図３】同クリアファイルブックにＡ３サイズの文書用紙を収容した状態を示す平面図。
【考案を実施するための形態】
【００１２】
以下、本考案の実施の形態を図面に基づいて説明する。
図１は、本考案の一実施例としてのクリアファイルブックの斜視図で、その中央部分を見開いた状態を示すものである。本例に係るクリアファイルブック１は、背表紙２ｃを中央に表表紙２ａと裏表紙２ｂとを配した表紙２とファイル体３から構成され、表紙２の内側に、複数枚積層したファイル体３の中央部を左右等分に分けるよう背表紙２ｃの裏面に溶着固定して綴じ込んだものである。
【００１３】
前記ファイル体３は、ベースとなる１枚のファイル基体４と８枚の帯状シート片５とによって構成され、いずれも溶着可能な透明プラスチックシートを素材とする。ベースとなるファイル基体４は、中央に背表紙２ｃとほぼ同巾の折り返し部４ｃが設けられていて、折り返し部４ｃを挟んで左ファイル基体部４ａと右ファイル基体部４ｂとに分かれる。
【００１４】
また、前記帯状シート片５は、図示のような形状からなるプラスチックシート片で、左ファイル基体部４ａ及び右ファイル基体部４ｂの表裏両面のそれぞれの一方対角コーナー部（本例では、左上コーナー部と右下コーナー部）において、ファイル基体４の端縁に沿って溶着されているものである。
【００１５】
なお、本例にあっては、表紙２の素材として適当な硬度からなる溶着可能なプラスチックシートを採用したが、ファイル体３の固着が可能であれば紙や布やゴムシートなどの素材を採用してもよい。また、ファイル体３の素材は、溶着可能な熱可塑性プラスチックフイルムシートであれば特に限定されるものではないが、弾性力、強度及び透明性の点からポリプロピレンフイルムシートが最も望ましい。
【００１６】
本考案に係るクリアファイルブック１を完成させるには、所要枚数のファイル体３を揃えて重ね合わせ、その中央折り返し部４ｃを背表紙２ｃの内側裏面に対応当接させ、その上からファイル溶着用金型を圧接させながら超音波溶接などの適宜手段により、重合した複数枚のファイル体３及び背表紙２ｃをその中央部において線状に熱溶着する。これによって、左右両ページに分けられたファイル体３の積層体が表紙２の内側に綴じ込まれクリアファイルブック１が完成する。
【００１７】
次に、本例によるクリアファイルブック１の使用例について説明する。
図２は、本例クリアファイルブック１を中央部分で見開き、Ａ４サイズ用紙を左右両ページにそれぞれファイリングした状態を示した正面図で、図３は、本例クリアファイルブック１を中央部分で見開き、Ａ３サイズ用紙をファイリングした状態を示した正面図である。
【００１８】
Ａ４サイズの用紙をファイリングする場合は（図２参照）、見開いたファイル体３の隣接する左右各ページ面（左ファイル基体部４ａ又は右ファイル基体部４ｂの表裏いずれかの各面）と、当該左右各ベージ面のそれぞれに付着する２枚の帯状シート片５との隙間に、Ａ４サイズの用紙をそれぞれ挟み込んでファイリングする。
【００１９】
Ａ３サイズの用紙をファイリングする場合は（図３参照）、見開いたファイル体３の隣接する左右両ページ面（左ファイル基体部４ａ又は右ファイル基体部４ｂの表裏いずれかの２面）と、当該左右両ベージ面に付着する４枚の帯状シート片５との隙間に、Ａ３サイズの用紙を挟み込んでファイリングする。
【００２０】
なお、本クリアファイルブック１の使用例においては、そのサイズをＡ４サイズ（見開きＡ３サイズ）としたが、必要に応じてＢ５又はＡ５等のサイズに適宜設定することもできる。
【００２１】
上述のように、本考案によれば、収容文書の収脱が容易でファイリング作業の効率が良く、また、収容した文書はファイル体から取り出さずに加筆や訂正が可能であり、しかも、文書内容が反射光によって見えづらくなるという不都合も起こらない等、整理保管機能とともにメモ機能も要求される楽譜や講義資料等の文書用紙を綴るためクリアファイルブックとしては極めて有用である。
【符号の説明】
【００２２】
１・・・クリアファイルブック
２・・・表紙
２ａ・・表表紙
２ｂ・・裏表紙
２ｃ・・背表紙
３・・・ファイル体
４・・・ファイル基体
４ａ・・左ファイル基体部
４ｂ・・右ファイル基体部
４ｃ・・折り返し部
５・・・帯状シート片
【図１】
0003184301.tif 000003
【図２】
0003184301.tif 000004
【図３】
0003184301.tif 000005